Podtech/llm-jp-corpus-v4-ja_patent huggingface dataset:
(57)【要約】【課題】本発明は、地中壁の耐震性向上に関する方法の提案にある。【解決手段】本発明は、構造壁として機能する構造壁部分と、構造壁を連結する可撓性部分とからなる地中壁であり、開口部を有する袋体を可撓性部材で連結し、袋体部にコンクリートを充填させて構築した地中壁構成法である。掘削した壁形成用の溝部に可撓性の連結部で連結した袋体を挿入し、袋体の開口部より鉄筋を袋体に挿入、コンクリートを打設する連続地中壁の構築方法である。【選択図】図１
2014105560.tif 000002
【特許請求の範囲】
【請求項１】
構造壁として機能する構造壁部分と、構造壁を連結する可撓性部分とからなる地中壁。
【請求項２】
開口部を有する袋体を可撓性部材で連結し、袋体部に硬化性流動体を充填させ固化させた構造壁部分とする地中壁構成法。
【発明の詳細な説明】
【技術分野】
【０００１】
本発明は、地中壁の構造とその施工方法に属する。
【背景技術】
【０００２】
地中壁は、地下を壁状に掘削し、その掘削した溝の中に鉄筋コンクリートを打設して築造された壁上の構造物で、土留壁、止水壁、建造物の基礎等として広く使用されている。かかる工法は例えば特開２００６−１１２０３０、特開２０００−０６４３２８、特開２００２−２０１６３４等に開示されている。
特に連続地中壁にあっては地震時に強大な力が壁にかかる。地震時にかかる力を軽減させる手段が求められている。
【先行技術文献】
【特許文献】
【０００３】
【特許文献１】特開２００６−１１２０３０
【特許文献２】特開２０００−０６４３２８
【特許文献３】特開２００２−２０１６３４
【発明の開示】
【発明が解決しようとする課題】
【０００４】
本発明は、地中壁の耐震性向上に関する方法の提案にある。
【課題を解決するための手段】
【０００５】
本第1の発明は、構造壁として機能する構造壁部分と、構造壁を連結する可撓性部分とからなる地中壁であり、
本第２の発明は、開口部を有する袋体を可撓性部材で連結し、袋体部に硬化性流動体を充填させ固化させた構造壁部分とする地中壁構成法である。
【発明の効果】
【０００６】
本発明は、構造壁として機能する構造壁部分と、可撓性部分とからなる地中壁としたため、地震時にかかる力が壁全体にかからず可撓性部分で構造壁が動くことで地震時の力を軽減することができる。また、開口部を有する袋体を連結し、袋体を可撓性部材で連結し、袋体部にコンクリートを充填させて構造壁部分とすることで地中壁がかんたんに構築できる。
【図面の簡単な説明】
【０００７】
【図１】は、本発明によって構成される地中壁の概念図である。
【図２】は、本発明の地中壁の構築方法を示す概念図である。
【図３】は、本発明の施工例を示す概念図である。
【発明を実施するための形態】
【０００８】
以下、本第１の発明を図によって、より詳細に説明する。
図１に示すように本発明の地中壁はコンクリートで構成された構造壁部分が複数長さ方向に連結されている。各構造壁部分は袋で包まれ、袋は可撓性部材で連結されている。可撓性部材は袋を長手方向の所定の位置で溶融あるいは縫い付けなどして形成され、可撓性を示す程度の長さを有している。
【０００９】
図２は、コンクリートを充填する袋体である。地中壁の深さに等しい幅を有し、構築する壁の厚さに対応する開口部を有している。袋体の長さ方向の端部は互いに連結可能とするための耳が設けられている。施工現場の状況に応じ事前に耳部を連結し、あるいは現場で連結しながら使用する。
【００１０】
壁を構築する溝の掘削後、必要に応じて溝内の砂泥、礫を掃除し、図３に示すように袋体を溝に挿入し、鉄筋を袋体上部の開口部より挿入し、コンクリートを流し込むことで構造壁が構築される。なお、袋体の開口部は、溝に挿入した時、溝の壁面に袋体表面が密着できるよう開平自在とし、空気などを吹き込めるようにしておくこともできる。コンクリートの代わりに硬化性を有する硬質ポリウレタン等を使用してもよい。
【００１１】
袋体の材質は、特に制限はないが、袋体内部に鉄筋などを挿入する時、避けたり破れたりしない程度の強度があればよい。
【産業上の利用可能性】
【００１２】
土留め壁、止水壁、構造物の基礎として利用できる。
【符号の説明】
【００１３】
１  溝
２  地中壁
３  構造体
４  袋体
５  可撓性部
６  鉄筋
【図２】
2014105560.tif 000003
【図１】
2014105560.tif 000004
【図３】
2014105560.tif 000005
(57)【要約】      （修正有）【課題】三角コーンの使用時の安定性を高める方法を提供する。【解決手段】三角コーンであって、その基部に磁石を備えた三角コーンを使用し、三角コーンの設置場所に磁性体を混入させた塗料を塗りつけ、もしくは塗料を塗りつけたシートを用い、塗料を塗りつけた場所、もしくはシートを敷設した場所に設置する三角コーンの設置方法である。三角コーンの基部底部に装着した磁石３と、設置場所に塗布した塗料中に含有する鉄分による磁力の力で三角コーンを設置場所に固定するものである。【選択図】図１
2014105561.tif 000002
【特許請求の範囲】
【請求項１】
三角コーンであって、その基部に磁石を備えた三角コーン。
【請求項２】
三角コーンの設置場所に磁性体を混入させた塗料を塗りつけ、もしくは当該塗料を塗りつけたシートを用い、当該塗料を塗りつけた場所もしくはシートを敷設した場所に、請求項1記載の三角コーンを設置する三角コーンの設置方法。
【発明の詳細な説明】
【技術分野】
【０００１】
本発明は、新規の三角コーンとその設置方法に属する。
【背景技術】
【０００２】
工事現場で立入禁止区域、警戒区域を設定するため三角コーンを設置することが広く行われている。三角コーンは一般に樹脂製で軽量であり、強風あるいは僅かな力で移動あるいは転倒することある。その弊害を軽減するため三角コーンの基部に重いゴム製の重しを被せることが行われている。
上記問題点を解消するため特開２００２−３２７４１１には三角コーンの台座の下面にカラーベッドを取り付けあるいは台座の四隅に台座の上面から上方へ突出する突片を設ける対策が開示されている。また特開２００７−２１１４９５には台座の底部に低反発弾性体を装着しコーン部の側面にチャッキバルブを複数装備する方法が開示されている。
【先行技術文献】
【特許文献】
【０００３】
【特許文献１】特開２００２−３２７４１１
【特許文献２】特開２００７−２１１４９５
【発明の開示】
【発明が解決しようとする課題】
【０００４】
本発明は、三角コーンの使用時の安定性を高める方法の提案にある。
【課題を解決するための手段】
【０００５】
本第1の発明は、三角コーンの基部に磁石を備えた三角コーンであり、
本第2の発明は、三角コーンの設置場所に磁性体を混入させた塗料を塗りつけ、もしくは当該塗料を塗りつけたシートを用い、当該塗料を塗りつけた場所もしくはシートを敷設した場所に、請求項1記載の三角コーンを設置する三角コーンの設置方法である。
【発明の効果】
【０００６】
本発明は、三角コーンの基部に磁石を備え、その三角コーンの設置場所に磁性体を混入させた塗料を塗布して使用するため、磁力の作用で三角コーンは設置場所に固定される。また、磁力で固定されているため三角コーンの使用終了時には磁力以上の力を加えることで引き剥がすことができる。
【図面の簡単な説明】
【０００７】
【図１】は、本第1の発明である三角コーンの概念図である。
【図２】は、本第2の発明である三角コーンの使用方法を示す概念図である。
【発明を実施するための形態】
【０００８】
以下、本第１の発明を図によって、より詳細に説明する。
図１に示すように本発明の三角コーンはその基部底部に磁石が装着されている。
磁石は永久磁石が好ましく、基部底部に複数個等間隔に配置されることが望ましい。またボンド磁石を基部底部に一体的に貼り付けあるいは埋め込んで固定してもよい。
【０００９】
図２は、本発明の三角コーンの設置方法を示している。鉄粉などの磁性体を混入させた塗料を三角コーンの設置すべき場所に塗布し、その塗布した場所に本発明の三角コーンを設置するものである。そうすることで、三角コーンの基部に装着された磁石により、三角コーンは設置場所に磁力により固定される。
設置場所に磁性体を塗布したシートを敷き、その上に三角コーンを設置することでもよい。シートが風などで移動あるいはめくれないよう適宜ピン等で地面に留めることができる。
【００１０】
三角コーンの基礎底部に装着する磁石の形状、種類および三角コーンを設置する場所に塗布する塗料に含有させる磁性体の種類、量など勘案し、三角コーンの使用形態に応じた必要な磁力が得られるようにすることが好ましい。
【産業上の利用可能性】
【００１１】
工事現場の警戒領域を示す三角コーンとして使用できる。
【符号の説明】
【００１２】
１  三角コーン
２  三角コーンの基部
３  磁石
４  鉄粉を含む塗料
【図１】
2014105561.tif 000003
【図２】
2014105561.tif 000004
(57)【要約】      （修正有）【課題】流水による食材洗浄時に食材が外部に流出しないザル、ボールを提供する。【解決手段】ザルの縁２３に突出部２２、ボールの縁に支持部１２を設け、突出部を支持部の上に重ね合わせ、ザル容器本体２１に食材等を入れ、流水を注ぎいれると水はボール容器本体１１に溜まった後、ボール容器上縁１３の上部、ザル容器上縁２３の下部より溢水する。重ねて使用する際にザルとボールの間に隙間を作り、そこから水が外に流れ出すようにする食材流出防止ザル、ボール。【選択図】図１
2014108342.tif 000002
【特許請求の範囲】
【請求項１】
ボール容器上縁（１３）に支持部（１２）を設けたボール容器とザル容器上縁（２３）に下方へ向けて突出部（２２）を設けたザル容器を特徴とする食品流出防止ザル、ボール。
【発明の詳細な説明】
【技術分野】
【０００１】  この発明は、調理器具であるボールとザルを使って食材等を洗浄及び水切りする際に食材等の流出を防ぐ構造の食品流出防止ザル、ボールに関するものである。
【背景技術】
【０００２】ボール容器とザル容器で構成される洗浄、水切り具は、ザル容器をボール容器内に収納し、ザル容器内で洗浄、冷却等の作業後、ザル容器を取り出す事により水切りを行う事で使用されている。
【先行技術文献】
【特許文献】
【０００３】
【特許文献１】特開２０００−１５２８８５号公報
【発明の概要】
【発明が解決しようとする課題】
【０００４】従来の商品の欠点
ボール容器とザル容器を重ねて食材等を流水で洗浄する際、水がボール容器の上縁まで満タンになると、水と共に食材等が溢れて容器外部に流出する事がある。
【課題を解決するための手段】
【０００５】そこで、本発明のザル、ボールは、ザル容器の上縁に、下方に向けて突出部を設け、ボール容器の上縁にザル容器の突出部を支持する為の支持部を設ける。ザル容器とボール容器を重ねた際、容器同士の間に隙間を作り、そこから水のみが流れ出す構造とする。
完全に重ねて使用や収納する際にはザル容器突出部とボール容器支持部をずらして重ねる。
【発明の効果】
【０００６】流水をボール容器に重ねたザル容器内に注ぎ込みながらの作業時、ザル容器内部に入れた食材等が容器外部に流出する事を防ぐ事が出来る。突出部と支持部をずらす事により完全に重ねて使用及び収納も出来る。
【図面の簡単な説明】
【０００７】
【図１】本発明の実施形態全体斜視図。
【図２】本発明の収納形態全体斜視図。
【図３】本発明のザル容器斜視図。
【図４】本発明のボール容器斜視図。
【発明を実施するための形態】
【０００８】  以下、本発明を実施するための形態について説明する。
ザル容器（２）のザル容器上縁（２３）に下方に向けた突出部（２２）を設ける。
ボール容器（１）のボール容器上縁（１３）に支持体（１２）を設ける。
流水による食材洗浄時、図１の様にボール容器（１）の上にザル容器（２）を重ね、突出部（２２）を支持部（１２）の上に重ね合わせ、ザル容器本体（２１）に食材等を入れ、流水を注ぎいれると水はボール容器本体（１１）に溜まった後、ボール容器上縁（１３）の上部、ザル容器上縁（２３）の下部より溢水する。その為ザル容器上縁（２３）からは溢水しない事により食材の流出を防ぐ。
深く重ねての使用や収納時は図２の様に突出部（２２）と支持部（１２）の位置をずらし、ザル容器上縁（２３）とボール容器上縁（１３）が完全に重なりあう様にする。
【符号の説明】
【０００９】１    ボール容器
１１  容器本体
１２  支持部
１３  ボール容器上縁
２    ザル容器
２１  容器本体
２２  突出部
２３  ザル容器上縁
【図１】
2014108342.tif 000003
【図２】
2014108342.tif 000004
【図３】
2014108342.tif 000005
【図４】
2014108342.tif 000006
(57)【要約】【課題】  本発明は重い荷物の手提げ袋等（特にレジ袋）使用時、持ち手部分が紐状になり、指へのくい込みを防ぐと同時に、従来の荷物の持ち方を変えて重さの負担を減らす持ち手カバーを提供する。【手段】  指を保護する為に耐久性、柔軟性の兼ね備えた弾性材を用いて、親指をのせる上部、持ち手を覆い握るカバー部、カバー部を受け止める受止部、握った中指の人差し指側に指あて部を設ける。以上よりなる手提げ袋等の運搬を軽減する持ち手カバー用品である。【選択図】図３
2014108343.tif 000002
【特許請求の範囲】
【請求項１】
上部に親指をのせる場所を設け、上部の下に、垂直の曲げ伸ばしできる持ち手を覆うカバー部を設け、カバー部を曲げた際、カバーの下部を受け止めるために、上部の一方の端から垂直にカバー部の受止部を設け、荷物の運搬の負担を減らす持ち方になるように、上部の下とカバー部の接する一部に突起を設け、耐久性と柔軟性を兼ね備える弾性材でできていることを特徴とする手提げ袋等の負担を軽減する持ち手カバー用品。
【発明の詳細な説明】
【技術分野】
【０００１】  本発明は、重い手提げ袋等の荷物の運搬の際、重さの負担を軽減し、指への負担を軽減するための持ち手カバー用品に関するものである。
【背景技術】
【０００２】  従来、手提げ袋等（特にレジ袋）が重い荷物の運搬は、指と腕に負担が大きく、時間の経過とともに、手提げ袋等（特にレジ袋）の持ち手が指にくい込んで痛い思いをした。
【発明の開示】
【発明が解決しようとする課題】
【０００３】そのために次のような問題点があった。
重い荷物が腕に負担があり、指にもくい込み、レジ袋の持ち手が破れることもあり、重い荷物の運搬が、大変困難であった。
本発明は、以上の問題点を解決するためになされたものである。
【課題を解決するための手段】
【０００４】  柔軟性、耐久性の兼ね備えた弾性材を用いて、上部に親指をのせる場所を設け、上部の下に垂直の曲げ伸ばしできる持ち手を覆うカバー部を設け、上部の一方の端から垂直にカバー部の受止部を設け、カバー部を握った中指の人差し指側に突起を設ける。
本発明は、以上の構成よりなる持ち手カバー用品である。
【発明の効果】
【０００５】  重い荷物の運搬の際、手提げ袋等の持ち手の指へのくい込みが解決する。また持ち手カバーを握った中指の横の突起で従来の持ち手の持ち方（人差し指、中指、薬指、小指で持ち手を握る）が、指あて部によって変わり、主に中指と薬指に力が加わることにより、少ない力で荷物を持つ事が出来、運搬の負担も軽減される。
【発明を実施するための最良の形態】
【０００６】  以下、本発明の実施の形態を説明する。
親指を乗せる上部（１）から垂直に、持ち手を覆うカバー部内側（２イ）、カバー部外側（２ロ）、カバー部下部（２ハ）を設け、上部（１）とカバー部外側（２ロ）の接する一部に指をあてる指あて部（３）を設け、上部（１）の一方の端から垂直に、曲げたカバー部下部（２ハ）を受け止める受止部（４）を設ける。
本発明は以上のような構造でこれを使用するときは、持ち手をカバー部内側（２イ）にかけて、カバー部下部（２ハ）を受止部（４）まで曲げてとめる。受止部（４）を手の平に密着させ、上部（１）に親指をのせて、指あて部（３）に中指の人差し指側をあてて、カバー部（２）を中指、薬指を中心に握るように持って荷物を運搬する。
【図面の簡単な説明】
【０００７】
【図１】  本発明のカバー部内側向き斜視図
【図２】  本発明のカバー部外側向き斜視図
【図３】  本発明の平面図
【図４】  本発明の使用状態を示す平面図
【図５】  本発明の使用状態を示す斜視図
【符号の説明】
【０００８】  （１）上部、（２イ）カバー部内側、（２ロ）カバー部外側、（２ハ）カバー部下部、（３）指あて部、（４）受止部、
【図１】
2014108343.tif 000003
【図２】
2014108343.tif 000004
【図３】
2014108343.tif 000005
【図４】
2014108343.tif 000006
【図５】
2014108343.tif 000007
(57)【要約】【課題】折り紙が正確にしかも簡単に折れる様、予め凹凸で立体の折り筋を施した折り紙を提供する。【解決手段】折り紙は細かい線などが視にくくなるお年寄りや年少の子供たちには、その出来栄えにも大きく影響を与える最初の一折り目から慎重さと正確さが求められ、より簡単に折れる様、立体の折り筋を有した折り紙を特徴とする。【選択図】図６
2014108336.tif 000002
【特許請求の範囲】
【請求項１】
折り紙が一折り目から数折り目までを正確にしかも簡単に折れる様、予め完成途中の道筋になる凹凸で立体の折り筋を施した折り紙。
【発明の詳細な説明】
【技術分野】
【０００１】この発明は、折り紙の最初の一折り目から数折り目までを正確にしかも簡単に折りを補助出来るよう折り紙そのものに凹凸の立体折り目を施した折り紙である。
【背景技術】
【０００２】大人から子供まで楽しめる折り紙は、最初の一折り目の折り方を出来るだけ正確に折らないと出来栄えにも大きく影響し、正確に折る為に折る人にとって大きな負担となっていた。
【発明の概要】
【発明が解決しようとする課題】
【０００３】折り紙は、大人や子供が一緒に楽しみながら、さまざまな形やモノを作り出す最も手軽な玩具のひとつであるが、細かい線などが視にくくなるお年寄りや年少の子供達には、その出来栄えにも大きく影響を与える最初の一折り目に慎重さと正確さが求められ大きな負担となっている。この負担を軽くする為の発明である。
【課題を解決するための手段】
【０００４】折り紙の一折り目から数折り目までを正確にしかも簡単に折れるよう、予め完成途中の道筋になる凹凸の立体の折り筋を施したものである。
【発明の効果】
【０００５】折り紙に折り方の山折りや谷折りが、立体の凹凸で施されていて、印刷された折り線の場合では、それに沿って折り筋をつける必要があるが、折り初めの基本である山折りの三角折りや山折りの四角折りなどつまみあげる程度の動作で、簡単しかも正確に折り目がつけられる。【０００６】又、大量に折る、例えば千羽鶴を折る場合などは、［図７］の手順▲１▼から▲８▼までの折り目をつけておけば、折り姿が統一され何よりも折り時間の短縮に繋がる。
【図面の簡単な説明】
【０００７】
【図１】  この考案を実施する為のプレス装置の平面図である。
【図２】  この考案を実施する為のプレス装置の正面図である。
【図３】  この考案を実施する為のプレス装置の右側面図である。
【図４】  この考案を実施する為のプレス装置の上型（８）の斜視図である。
【図５】  この考案を実施する為のプレス装置の下型（９）の斜視図である。
【図６】  立体の折り筋が施された折り目付折り紙の斜視図である。
【図７】  折り鶴の一般的な折り手順を丸囲み数字で追ったイラスト図である。
【発明を実施するための形態】
【０００８】以下、本発明を実施するための形態について説明する。
上型（８）の下面（８ａ）と下型（９）の上面（９ａ）にお互いにかみ合う様、断面が三角形をした山形の連続した突起と、断面がＶ字形の連続した溝が、一折り目から数折目までの折り筋として施された、上型（８）と下型（９）の間に折り紙を挟み込み圧力をかけ、立体の折り目のついた折り紙が作られる。
【０００９】その他、折り紙に立体の折り目をつける方法として、お互いに引き合う力を持った構造で作られた一対のローラーの表面にお互いにかみ合う様、断面が三角形をした山形の連続した突起と、断面がＶ字形の連続した溝が、一折り目から数折り目までの折り筋として設けられたローラーの間に折り紙を通しても折り目のついた折り紙を作ることができる。
【符号の説明】
【００１０】１      ベース板
２      支柱
３      支持板
４      スライド軸
５      型板保持板
６      バッキングプレート
７      フローティングジョイントセット
８      上型
８ａ    上型下面
９      下型
９ａ    下型上面
１０    ストッパーボルト、ナット
１１    ストップピン
１２    ブラケット
１３    押し棒
１４ａ  ピン
１４ｂ  ピン
１５    支点ピン
１６    リンク
１７    操作レバー
１８    ゴム脚
【図１】
2014108336.tif 000003
【図２】
2014108336.tif 000004
【図３】
2014108336.tif 000005
【図４】
2014108336.tif 000006
【図５】
2014108336.tif 000007
【図６】
2014108336.tif 000008
【図７】
2014108336.tif 000009
(57)【要約】【課題】重い・大きいキャリーバッグを持ち上げて階段を昇り降りするのは大変な労力を要していた。  本発明は、キャタピラー式で階段の昇り降りが楽にスムーズに移動出来るキャリーバッグを提供する。【解決手段】キャリーバッグにキャタピラーと、それにつながるラセン回転軸−ハンドルを設け、カバーの下辺縁にクッション材を設けた事を特徴とする段スルーキャリーバッグ。【選択図】図１
2014108334.tif 000002
【特許請求の範囲】
【請求項１】
キャリーバッグの天板からは、これを貫通擦る三つのハンドルが露出しているのであって、一つ目は従来通りの伸縮するけん引ハンドル、二つ目はカバーハンドル、これはキャリーバッグ本体の正面手前側の左右にある車輪の内側に、それぞれ設置してあるキャタピラーを覆うカバーにつながっており、これを引き上げる事により、カバーは両側のカバーガイドレールに沿って持ち上げられ、キャタピラーがあらわれるのであり、三つ目のキャタピラーハンドルは、ラセン回転軸を介してキャタピラーにつながっており、このキャタピラーハンドルを引き上げる事により、収納されていたキャタピラーが４５度回転して露出し、キャタピラーが使用可能な状態になるのであって、この時カバーの下辺縁がキャタピラーの頭に乗っかる形で接触している箇所にクッション材を設けてあることを特徴とする段スルーキャリーバッグ。
【発明の詳細な説明】
【技術分野】
【０００１】  本発明はキャタピラーを備えたキャリーバッグに関するものである。
【背景技術】
【０００２】  従来キャリーバッグを持って階段を昇り降りする時は、けん引ハンドルを収納し、取っ手で持ち上げて移動していた。
【発明が解決しようとする課題】
【０００３】  重いキャリーバッグ・大きいキャリーバッグを持ち上げ階段を昇り降りするのは、かなりの労力を要していた。
本発明は、以上の問題点を解決するためになされたものである。
【課題を解決するための手段】
【０００４】  キャリーバッグ本体の底の正面手前側に左右一対の車輪、あるいは底面四隅にキャスターを有し、天板から出ている取っ手ハンドルも同じ正面手前側に偏った位置に設けてあるような通常のキャリーバッグにおいて、キャリーバッグの天板からは、これを貫通する三つのハンドルが露出している、一つ目は従来通りの伸縮するけん引ハンドル、二つ目はカバーハンドル、これはキャリーバッグ本体の正面手前側の左右にある車輪の内側に、それぞれ設置してあるキャタピラーを覆うカバーにつながっており、これを引き上げる事により、カバーは両側のカバーガイドレールに沿って持ち上げられ、キャタピラーが現れる、三つ目のキャタピラーハンドルは、ラセン回転軸を介してキャタピラーにつながっており、このキャタピラーハンドルを引き上げる事により、収納されていたキャタピラーが４５度回転して露出し、キャタピラーが使用可能な状態になる、この時カバーの下辺縁がキャタピラーの頭に乗っかる形で接触している箇所にクッション材を設けてある。
以上の構成よりなる段スルーキャリーバッグ。
【発明の効果】
【０００５】  けん引ハンドルの他、二本のハンドルを、その場で引き上げるだけで楽にスムーズに移動出来る、キャリーバッグにキャタピラーが設けてあるので、長い階段であろうとも、肉体的苦痛を感じる事なく楽に運ぶ事が出来る、平地を移動する時はキャタピラーがハンドル操作一つでキャリーバッグの車輪の内側に引っこむので邪魔にならない、キャタピラーにはカバーが付いているので危険がなく衣服も汚れる心配がない。
【図面の簡単な説明】
【０００６】
【図１】本発明をカバーで隠れている部分の構造が見えるように表した斜視図
【図２】本発明の使用可能な状態を示す斜視図
【図３】本発明の一部であるカバーの下辺縁がキャタピラーの頭に接触している箇所を分かりやすく表した部分拡大図
【発明を実施するための形態】
【０００７】  以下、本発明の実施の形態を説明する。
キャリーバッグ（１）の天板（２）からは、これを貫通する三つのハンドルが露出している、一つ目は従来通りの伸縮するけん引ハンドル（３）、二つ目はカバーハンドル（４）、これはキャリーバッグ本体の正面手前側の左右にある車輪（１０）の内側に、それぞれ設置してあるキャタピラー（９）を覆うカバー（７）につながっており、これを引き上げる事により、カバー（７）は両側のカバーガイドレール（６）に沿って持ち上げられ、キャタピラー（９）が現れる、三つ目のキャタピラーハンドル（５）は、ラセン回転軸（８）を介してキャタピラー（９）につながっており、このキャタピラーハンドル（５）を引き上げる事により、収納されていたキャタピラー（９）が４５度回転して露出し、キャタピラー（９）が使用可能な状態になる、この時カバー（７）の下辺縁がキャタピラー（９）の頭に乗っかる形で接触している箇所にクッション材を設けてある。
本発明は、以上のような構造である。
本発明を使用して階段を昇る時は、先ずカバーハンドル（４）を引き上げカバー（７）が上がるとキャタピラー（９）が現れる、次にキャタピラーハンドル（５）を引き上げるとラセン回転軸（８）を介してキャタピラー（９）が４５度回転して露出し、階段を一段ごとにキャタピラー（９）が接地して昇っていくので車輪（１０）やキャスターで昇るような段差ショックもなく持ち上げるしんどさもなく、引っぱり上げる労力も大幅に軽減される、降りる時はけん引ハンドル（３）をつかまえているだけでよい。
【符号の説明】
【０００８】１キャリーバッグ本体、２天板、３けん引ハンドル、４カバーハンドル、５キャタピラーハンドル、６カバーガイドレール、７カバー、８ラセン回転軸、９キャタピラー、１０車輪、１１クッション材、Ａ部分拡大図表現位置
【図１】
2014108334.tif 000003
【図２】
2014108334.tif 000004
【図３】
2014108334.tif 000005
(57)【要約】【課題】  おしりふきポーチを使う際、どうしても片手でおしりふきを取るのが困難で、収納場所にも困る時があるので、ベビーベッドなどに固定できるようにし、かつ本体２を脱着式にし、持ち運びできるようにする。【解決手段】  おしりふきポーチを使う際、本体１を面ファスナーでベビーベッドなどに固定し、おしりふきを片手で取れるようにし収納場所にも困らないようにする。そして、本体１と本体２は面ファスナーなどで脱着可能にし、本体２は持ち運びできるようにする。【構成】  本体１は、面ファスナーでベビーベッドなどにしっかり固定できるようにし、本体１と本体２も面ファスナーなどで脱着可能にする。【選択図】図１
2014108337.tif 000002
【特許請求の範囲】
【請求項１】
おしりふきポーチを使用する際、片手では取りにくいのでベビーベッドなどに固定して片手でも使えるようにし、本体１と本体２は面ファスナーで脱着ができるので、離しても使えることのできるおしりふきポーチ。
【発明の詳細な説明】
【技術分野】
【０００１】  本発明は、おしりふきポーチを使う際、固定していないと片手で使用するのは難しいので、ベビーベッドなどに固定できるようにしたものである。また、本体１と本体２は脱着できるようにし、本体２を持ち運べるようにした。
【発明が解決しようとする課題】
【０００２】  おしりふきポーチを使う際、片手でおしりふきを取るのが困難な時がある。また収納場所にも困る時があるので、本発明は、この課題を解消するためになされたものである。
【課題を解決するための手段】
本体１を面ファスナーなどでベビーベッドに固定できるようにし、本体１と本体２も面ファスナーで脱着出来るようにし、おしりふきを片手で取れるようにした。
【発明の効果】
このようにすれば、片手でおしりふきを取ることができ、収納場所にも困らないし、本体２は脱着可能なので、持ち運びすることができる。
【図面の簡単な説明】
【図１】  固定ができ、脱着のできるおしりふきポーチの全体図
【発明を実施するための形態】
本体１は、面ファスナーなどでベビーベッドなどに固定できるようにし、本体１と本体２も面ファスナーで脱着可能にする。
で固定できるようにする。
【符号の説明】  １  本体
２  本体（裏面に面ファスナーが付いたおしりふきポーチ）
【図１】
2014108337.tif 000003
【図２】
2014108337.tif 000004
【手続補正書】
【提出日】平成25年2月5日(2013.2.5)
【手続補正１】
【補正対象書類名】明細書
【補正対象項目名】全文
【補正方法】変更
【補正の内容】
【発明の詳細な説明】
【技術分野】
【０００１】  本発明は、おしりふきポーチを使う際、固定していないと片手で使用するのは難しいので、ベビーベッドなどに固定できるようにしたものである。また、本体１と本体２は脱着できるようにし、本体２を持ち運べるようにした。
【発明が解決しようとする課題】
【０００２】  おしりふきポーチを使う際、片手でおしりふきを取るのが困難な時がある。また収納場所にも困る時があるので、本発明は、この課題を解消するためになされたものである。
【課題を解決するための手段】
本体１を面ファスナーなどでベビーベッドに固定できるようにし、本体１と本体２も面ファスナーで脱着出来るようにし、おしりふきを片手で取れるようにした。
【発明の効果】
このようにすれば、片手でおしりふきを取ることができ、収納場所にも困らないし、本体２は脱着可能なので、持ち運びすることができる。
【図面の簡単な説明】
【０００３】
【図１】  固定ができ、脱着のできるおしりふきポーチの全体図
【図２】  固定ができ、脱着のできるおしりふきポーチをベビーベッド上部に取り付けた図
【発明を実施するための形態】
【０００４】  本体１は、面ファスナーなどでベビーベッドなどに固定できるようにし、本体１と本体２も面ファスナーなどで脱着可能にする。
【符号の説明】
【０００５】  １  本体
２  本体（裏面に面ファスナーが付いたおしりふきポーチ）
(57)【要約】【課題】利便性を向上させる飲用具を供する。【解決手段】飲用具に張出部、流出防止部、引出し部を備える。【選択図】図１
2014108338.tif 000002
【特許請求の範囲】
【請求項１】
水溶性または成分が滲出性のある具材を液体を充たした容器に入れる処理において、液体が容器から流出する隙間を生ずる棒状、あるいは板状や球状などの形状の張出部を備え、具材が流出しない柵状または網状の流出防止部を備えることを特徴とする飲用具。
【請求項２】
請求項１記載の飲用具において、少なくとも一つの細い棒状の引出し部を備えることを特徴とする飲用具。
【発明の詳細な説明】
【技術分野】
【０００１】本発明は飲用具に関する。
【背景技術】
【０００２】従来に類はない。
【発明が解決しようとする課題】
【０００３】利便性を向上させる飲用具を提供する。
【課題を解決するため手段】
【０００４】張出部、流出防止部、引出し部を備える。
【実施例】
【０００５】  以下に本発明の実施例を添付図面に基づいて説明する。
図１において、１は張出部、２は流出防止部、３は引出し部である。
具材はコーヒー、茶、果汁、薬草など水溶性の具材である、または既に具材の成分を抽出し、あるいは他の方法で取り出し、他の資材に添加、または塗布し液体に溶出可能としたものである。【０００６】飲用具は具材をいれて閉じたものでも、開口部を備え、繰り返し使用するものでもよい。
飲用具の素材は何らかの害がないものであれば紙、樹脂の合成か天然かと問わない。【０００７】張出部は棒状、板状、球状、針状、網状などのいずれでもよく、飲用具と容器の間に液体が流出可能な隙間を生じる形状とする。【０００８】流出防止部は具材がどのような形状であるかに対応し、具材がネット状の袋に納入されている例を除いて備えるものとする。
ネット状の袋に具材が納入されている例においては、飲用具の下部に引掛部が底面部を備え使用後に前記袋を取り出すことが可能なようにする。
袋は容器の口部から入れることができるスティック状、小球状とするが、使用後は液体を含んで大きくなるので、飲用具は引掛部などを備える必要がある。【０００９】飲用具は少なくとも一つの引出し部を備える。液体の中で飲用具が反転する例においては飲用具の両端に引出し部を備え、回転する例においては、どのように回転しても少なくとも一つの引出部が容器の口に近く位置するよう適当数を配置する。
引出部の長さは、容器の口部から出ない長さに調整される。
【発明の効果】
【００１０】茶、コーヒー、果汁、薬草など鮮度、携帯の利便性、液体容器との適応性、保存性、飲用後の処置など多様な要件を充足しつつ、日用性を向上させることができる。
【図面の簡単な説明】
【００１１】
【図１】本発明の表示例
【符号の説明】１  張出部
２  流出防止部
３  引出し部
【図１】
2014108338.tif 000003
(57)【要約】      （修正有）【課題】目的は磁石効果を広範囲に及ぼすことができる発電シート体を提供する。【解決手段】突状のキャップＣを備えたキャップシートＣｓに、平坦なベースシートＢｓを貼り合わせてなり、コイルが巻かれ、フリーな磁石Ｍを備えたキャップＣが分布する。気泡シート体１はキャップＣ成形用の吸引キャビティを多数個凹設した真空成形ロールを利用して突状のキャップＣを複数成形したキャップシートＣｓに、平坦なベースシートＢｓを貼り合わせてなり、未固定で自由に移動できる磁石Ｍを備えたキャップＣが分布する。【選択図】図１
2014108565.tif 000002
【特許請求の範囲】
【請求項１】
突状のキャップ（Ｃ）を備えたキャップシート（Ｃｓ）に、平坦なベースシート（Ｂｓ）を貼り合わせてなり、コイルが巻かれ、フリーな磁石（Ｍ）を備えた前記キャップ（Ｃ）が分布することを特徴とする発電シート体。
【発明の詳細な説明】
【技術分野】
【０００１】
本発明は発電シート体に関する。
【背景技術】
【０００２】
従来、突状のキャップを備えたシート体が知られる。例えば、特許第４２６０１７２号公報に記載の技術は、ロール本体の外周面にキャップ成形用の吸引キャビティを多数個凹設した真空成形ロールを利用して突状のキャップを複数成形したキャップシートに、ベースシートを貼り合わせてなる。
【先行技術文献】
【特許文献】
【０００３】
【特許文献１】特許第４２６０１７２号公報
【発明の概要】
【発明が解決しようとする課題】
【０００４】
ところで、従来のシート体は、磁石効果を広範囲に及ぼすことができる発明に到っていない。
【０００５】
そこで、本発明の目的は、磁石効果を広範囲に及ぼすことができる発電シート体を提供することにある。
【課題を解決するための手段】
【０００６】
上記課題を解決するため本発明の発電シート体は、突状のキャップ（Ｃ）を備えたキャップシート（Ｃｓ）に、平坦なベースシート（Ｂｓ）を貼り合わせてなり、コイルが巻かれ、フリーな磁石（Ｍ）を備えた前記キャップ（Ｃ）が分布することを特徴とする。
【発明の効果】
【０００７】
本発明によれば、発電シート体は、磁石（Ｍ）を備えたキャップ（Ｃ）が分布しているため、磁石効果を広範囲に及ぼすことができる。
【図面の簡単な説明】
【０００８】
【図１】気泡シート体の断面図である。
【発明を実施するための形態】
【０００９】
以下、本発明の実施の形態について詳細に説明する。
【００１０】
図１は気泡シート体の断面図である。気泡シート体１はキャップＣ成形用の吸引キャビティを多数個凹設した真空成形ロールを利用して突状のキャップＣを複数成形したキャップシートＣｓに、平坦なベースシートＢｓを貼り合わせてなり、未固定で自由に移動できる磁石Ｍを備えたキャップＣが分布する。
【００１１】
また、例えば、ベースシートＢｓなどに湿布用の薬や粘着剤などを塗布すると磁気湿布となる。また、磁気湿布に限らず他の物の素材として利用してもよく、例えば、各キャップＣの外側にコイルを巻くと圧電素子を用いた発電床と同等の効果を及ぼす発電材となる。発電材はキャップ（Ｃ）に対して磁石Ｍが磁極性の向きを自由に変えることができない形状とすると整流器などの必要がなくなる。図１では磁石Ｍが自由に磁極性の向きを変えることができ、磁極性を意識することなく磁石製品にくっつけることができる。
【図１】
2014108565.tif 000003
【手続補正書】
【提出日】平成25年1月28日(2013.1.28)
【手続補正１】
【補正対象書類名】特許請求の範囲
【補正対象項目名】請求項１
【補正方法】変更
【補正の内容】
【請求項１】
突状のキャップ（Ｃ）を複数成形したキャップシート（Ｃｓ）に、平坦なベースシート（Ｂｓ）を貼り合わせてなり、コイルが巻かれ、フリーな磁石（Ｍ）を備えた前記キャップ（Ｃ）が分布することを特徴とする発電シート体。
【手続補正２】
【補正対象書類名】明細書
【補正対象項目名】０００６
【補正方法】変更
【補正の内容】
【０００６】
上記課題を解決するため本発明の発電シート体は、突状のキャップ（Ｃ）を複数成形したキャップシート（Ｃｓ）に、平坦なベースシート（Ｂｓ）を貼り合わせてなり、コイルが巻かれ、フリーな磁石（Ｍ）を備えた前記キャップ（Ｃ）が分布することを特徴とする。
(57)【要約】【課題】四輪車の運転中、ダッシュボード面にブレーキの所在を常時、脳に認識させるものを提供する。【解決手段】ダッシュボードＢが備わっている四輪車で、ブレーキＣの中心点Ｄの真上のダッシュボードＢ面に縦の直線Ａと印を設け、又は直線Ａで左右に分けられたダッシュボードＢ面を色違いにして、縦の直線Ａの延長先にあるボンネット、後窓、ハンドルの軸がある場合はハンドルの中心にも印を設け、夜間でも識別出来る有色の材質を使用し、常時目線で脳にブレーキＣの位置を認識させ、緊急時にブレーキＣの位置に足を迷わず踏める状態にする。【選択図】図１
2014108776.tif 000002
【特許請求の範囲】
【請求項１】
四輪車のダッシュボードが備わっている車で、ブレーキの中心点の真上のダッシュボード面に縦の直線と印を設け、縦の直線の延長先にあるボンネット、後窓、ハンドルの軸がある場合は、ハンドルの中心にも印を設け、夜間でも識別できる有色の材質を使用し、運転中、常時目線で脳に認識させ、緊急時にブレーキの位置に足を迷わず踏める状態にすることを特徴とする知覚装置。
【請求項２】
請求項１のダッシュボード下のブレーキの位置を示す別方法として、ブレーキの中心点の真上のダッシュボード面に縦の直線を設け、直線の左右のダッシュボード面を色違いにして、色違いの境の下にブレーキの存在を示すことを特徴とする知覚装置。
【発明の詳細な説明】
【技術分野】
【０００１】  本発明は四輪車のブレーキに関することである。
【背景技術】
【０００２】  四輪車のブレーキとアクセルの踏み違い事故は運転する老人の増加と共に多発傾向にあり、対策として、前方に障害物があると自動的に車が止まる技術が開発されているが現在高額であると同時に、装置は必ず故障することが考えられ１００％事故を防ぐとの保障は発表されていない。
【発明の開示】
【発明が解決しようとする課題】
【０００３】  四輪車の運転中ブレーキの所在を、常時早く確実に脳に伝達する方法が求められている。
【発明を解決するための手段】
【０００４】  ダッシュボードが備わっている四輪車で、ブレーキの中心点の真上のダッシュボード面に、縦に直線と印を設け、又は直線で左右に分けられたダッシュボードを色違いにして、縦の直線の延長先にあるボンネット、後窓、ハンドルの軸がある場合は、ハンドルの中心にも印を設け、夜間でも識別出来る有色の材質を使用し、運転中、常時目線で脳に認識させ、緊急時にブレーキの位置に足を迷わず踏める状態にすることを特徴とする。
【発明の効果】
【０００５】  四輪車の運転中、前後の視野にダッシュボード面の直線と印の下にブレーキの所在を意識出来るので、ブレーキとアクセルの踏み違い事故は減少すると考えられる。
【発明を実施するための最良の形態】
【０００６】    第１実施例（図１）
ダッシュボードＢが備わっている四輪車でブレーキＣの中心点Ｄの真上にあるダッシュボードＢの面に、夜間でも識別出来る有色の直線Ａを縦に設けた図である。
【図面の簡単な説明】
【０００７】
【図１】ダッシュボード面に直線を画した平面図である
【符号の説明】
【０００８】Ａ  直線
Ｂ  ダッシュボード
Ｃ  ブレーキ
Ｄ  ブレーキの中心点
【図１】
2014108776.tif 000003
(57)【要約】【課題】車体パネルに当たって跳ね返った水が水抜き孔からケース内に浸入することを防止できる電気接続箱を提供する。【解決手段】電気接続箱１０のケース１は、部品が取り付けられるフレーム２と、フレーム２の下端側に取り付けられるロアカバー３と、を有している。ロアカバー３は、車体パネル６の位置決め孔６ａに挿入される位置決めボス４を有している。位置決めボス４は、ロアカバー３の底壁の下端部から突出している。また、ケース１には、当該ケース１の内部空間に連通するとともに位置決めボス４の先端に開口した連通孔４ａが形成されている。ケース１内に入ってきた水は、ロアカバー３の底壁の下端部に流れ、連通孔４ａを通ってケース１の外部に排水される。位置決めボス４の先端は位置決め孔６ａに挿入されており、車体パネル６に当たって跳ね返った水（矢印Ｋ）が位置決めボス４の先端に当たることがない。【選択図】図１
2014108039.tif 000002
【特許請求の範囲】
【請求項１】
車体パネルに設けられた位置決め孔に挿入される位置決めボスを下端部に有するケースを備えた電気接続箱において、
前記ケース内に連通すると共に前記位置決めボスの先端に開口した連通孔が形成されており、
前記ケース内の水が前記連通孔を通って外部に排水される
ことを特徴とする電気接続箱。
【発明の詳細な説明】
【技術分野】
【０００１】
本発明は、自動車に搭載される電気接続箱に関するものである。
【背景技術】
【０００２】
自動車に搭載される電気接続箱は様々な構成のものがあるが、例えば、図２に示す電気接続箱３１０のように、ケース３０１の下端部に水抜き孔３３１が設けられた構造のものが公知である（特許文献１を参照。）。
【０００３】
ケース３０１は、複数の部品が取り付けられるフレーム３０２と、フレーム３０２の下端側に取り付けられるロアカバー３０３と、を有している。ロアカバー３０３は、上記水抜き孔３３１と、車体パネル３０６にボルト３０７で固定される（図２中の符号３０６ｂは、ボルト３０７が通される挿通孔である。）ブラケット３０５と、車体パネル３０６に設けられた位置決め孔３０６ａに挿入される位置決めボス３０４と、を有している。
【０００４】
位置決めボス３０４は、電気接続箱３１０を車両組み付けする際、すなわちブラケット３０５を車体パネル３０６にボルト固定する際に電気接続箱３１０を位置決めして仮固定するためのものである。
【０００５】
この電気接続箱３１０においては、ケース３０１内に入ってきた水が、矢印Ｍで示すようにケース３０１の下端部に流れ、水抜き孔３３１を通ってケース３０１外に排水される。
【先行技術文献】
【特許文献】
【０００６】
【特許文献１】特開２００６−３２０１３３号公報
【発明の概要】
【発明が解決しようとする課題】
【０００７】
しかしながら、上述した電気接続箱３１０においては、矢印Ｎで示すように、車体パネル３０６に当たって跳ね返った水が、水抜き孔３３１からケース３０１内に浸入することがあるという問題があった。
【０００８】
したがって、本発明は、車体パネルに当たって跳ね返った水が水抜き孔からケース内に浸入することを防止できる電気接続箱を提供することを目的とする。
【課題を解決するための手段】
【０００９】
上記目的を達成するために請求項１に記載された発明は、車体パネルに設けられた位置決め孔に挿入される位置決めボスを下端部に有するケースを備えた電気接続箱において、前記ケース内に連通すると共に前記位置決めボスの先端に開口した連通孔が形成されており、前記ケース内の水が前記連通孔を通って外部に排水されることを特徴とする電気接続箱である。
【発明の効果】
【００１０】
請求項１に記載された発明によれば、前記ケース内に連通するとともに前記位置決めボスの先端に開口した連通孔が形成されているので、車体パネルに当たって跳ね返った水が位置決めボスの先端に当たることがなく、前記水が連通孔すなわち「水抜き孔」からケース内に浸入することを防止できる。また、位置決めボスが「水抜き孔」の機能を兼ね備えているので、ケースを小型化することができる。
【図面の簡単な説明】
【００１１】
【図１】本発明の一実施形態にかかる電気接続箱の断面図である。
【図２】従来の電気接続箱の断面図である。
【発明を実施するための形態】
【００１２】
本発明の一実施形態にかかる「電気接続箱」を図１を参照して説明する。本発明の電気接続箱は、自動車に搭載されて、前記自動車に搭載された電子機器に対して電力供給及び信号伝達を行うものである。
【００１３】
図１に示す電気接続箱１０は、複数の部品が取り付けられるフレーム２と、フレーム２の下端側に取り付けられるロアカバー３と、を有するケース１を備えている。フレーム２及びロアカバー３は、合成樹脂で構成されている。
【００１４】
上記ロアカバー３は、車体パネル６にボルト７で固定される（図１中の符号６ｂは、ボルト７が通される挿通孔である。）ブラケット５と、車体パネル６に設けられた位置決め孔６ａに挿入される位置決めボス４を有している。位置決めボス４は、電気接続箱１０を車両組み付けする際、すなわちブラケット５を車体パネル６にボルト固定する際に電気接続箱１０を位置決めして仮固定するためのものである。
【００１５】
上記位置決めボス４は、本実施形態においては、ブラケット５と一体的に設けられている。位置決めボス４の先端は、ブラケット５の車体パネル当接面よりも車体パネル６側に突出している。
【００１６】
また、上記ケース１には、当該ケース１の内部空間に連通するとともに位置決めボス４の先端に開口した連通孔４ａが形成されている。
【００１７】
このような電気接続箱１０においては、ケース１内に入ってきた水が、矢印Ｊで示すようにロアカバー３の底壁の下端部に流れ、連通孔４ａを通ってケース１の外部に排水される。このように、電気接続箱１０においては、位置決めボス４が「水抜き孔」の機能を兼ね備えている。また、図１に示すように、位置決めボス４の先端は車体パネル６の位置決め孔６ａに挿入されているので、矢印Ｋで示すように、車体パネル６に当たって跳ね返った水が位置決めボス４の先端に当たることがなく、前記水が連通孔４ａすなわち「水抜き孔」からケース１内に浸入することを防止できる。
【００１８】
また、上述した実施形態では、フレーム２とロアカバー３とが別体であったが、本発明の「ケース」は、フレーム２とロアカバー３とが一体形成されたものであっても良い。
【００１９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２０】
１  ケース
２  フレーム
３  ロアカバー
４  位置決めボス
４ａ  連通孔
６  車体パネル
６ａ  位置決め孔
１０  電気接続箱
【図１】
2014108039.tif 000003
【図２】
2014108039.tif 000004
(57)【要約】【課題】  駐車場などに芝生などの緑化植物の植生を可能とする舗装を施すのに用いられる植生用ブロックにおいて、ブロック相互のかみ合わせを考慮し、緑化率が５割をこえ、芝生の連続性が確保されることにより緑化が促進し、施工時や経年変化による段差を抑制することができる植生用ブロックを提供する。【解決手段】  植生用ブロックを井桁中空構造とすることで、植物における葉の部分と地下茎の連続性が確保されることにより緑化を促進し、接続部分をかみ込み構造にすることで、荷重の分散効果と、施工時や経年変化による段差を抑制することを特徴とする。【選択図】図１
2014108098.tif 000002
【特許請求の範囲】
【請求項１】
駐車場などに芝生などの緑化植物の植生を可能とする舗装を施すのに用いられる植生用ブロックにおいて、井桁中空構造とすることで、葉の部分と地下茎の連続性が確保されることにより緑化を促進し、接続部分をかみ込み構造にすることで、荷重の分散効果と、施工時や経年変化による段差を抑制することができる植生用ブロックを提供する。
【請求項２】
請求項１の植生用ブロックにおいて、表面の意匠を市松形状やスリット形状にすることにより、意匠性を高めることができる植生用ブロックを提供する。
【発明の詳細な説明】
【技術分野】
【０００１】
本発明は植生用ブロックに関するものである。
【背景技術】
【０００２】
近年都市部において広い面積を占めている駐車場などの緑化を推進する動きが加速している。具体的な対策として、芝生など植物の上空部で車輪を支持し、植栽基盤には車輪荷重の影響が及ばない植生用ブロックなどがあげられる。
【先行技術文献】
【非特許文献】
【０００３】
【非特許文献１】従来技術として、穴あきの植生用ブロックによる芝生独立式緑化舗装や、ブロックとブロックの目地を広げて芝生の部分を連続させる芝生連続式緑化舗装などがあげられる。しかし前者は緑化率が小さく、芝生独立式のため芝が枯れやすく、後者はブロック相互のかみ合わせが弱く段差が発生しやすい問題がある。
【発明の概要】
【発明が解決しようとする課題】
【０００４】
従来技術では上記にあるように、ブロック相互のかみ合わせを考慮すると、緑化率が小さく、芝生独立式のため芝が枯れやすくなる。一方、目地を広げた芝生連続式では、緑化が促進され易いものの、かみ合わせが弱くなり段差が発生しやすくなる。本発明はブロック相互のかみ合わせを考慮し、緑化率が５割をこえ、芝生の連続性が確保されることにより緑化が促進し、施工時や経年変化による段差を抑制することができる植生用ブロックを提供することを課題とする。
【課題を解決するための手段】
【０００５】
前記課題を解決するため、請求項１に係る発明は、植生用ブロックを井桁中空構造とすることで、植物における葉の部分と地下茎の連続性が確保されることにより緑化を促進し、接続部分をかみ込み構造にすることで、荷重の分散効果と、施工時や経年変化による段差を抑制することを特徴とする。
【発明の効果】
【０００６】
本発明により、ブロック相互のかみ合わせを考慮し、緑化率が５割をこえ、植物の連続性が確保されることにより緑化が促進し、施工時や経年変化による段差を抑制することができる植生用ブロックを提供することが可能となった。
【図面の簡単な説明】
【０００７】
【図１】本発明の緑化植生ブロックの斜視図。
【図２】本発明の緑化植生ブロック市松意匠の斜視図。
【図３】本発明の緑化植生ブロックスリット意匠の斜視図。
【図４】本発明の緑化植生ブロック市松意匠の使用斜視図。
【図５】本発明の緑化植生ブロックスリット意匠の使用斜視図。
【発明を実施するための形態】
【０００８】
かみ合わせと緑化率、植物の連続性と段差抑制を向上させる方法として、ブロックの形状を井桁中空構造とし、接続部分をかみ込み構造にする方法や、ブロック形状を十字構造とし、接続部分をかみ込み構造にする方法などが考えられるが、製造や施工の容易さなどを考慮すると、前者が最良の形態として挙げられる。
【符号の説明】
【０００９】
１  中空部分
２  かみ込み部分
３  市松意匠
４  スリット意匠
【図１】
2014108098.tif 000003
【図２】
2014108098.tif 000004
【図３】
2014108098.tif 000005
【図４】
2014108098.tif 000006
【図５】
2014108098.tif 000007